(57)【特許請求の範囲】
【請求項１】
組合せ秤と、該組合せ秤に対する運転条件を設定入力する入力部および前記組合せ秤の状態について表示する表示部を有する設定表示器の複数台とを備え、
前記組合せ秤は、前記複数台の各設定表示器と送受信するための通信部と、該通信部で受信される前記各設定表示器からの前記運転条件の設定入力に基づいて、当該組合せ秤の各部の動作を制御すると共に、前記組合せ秤の状態について表示する項目の表示内容である表示データが変更されたときに、変更された表示データおよび該表示データに対応する前記項目を特定する項目ＩＤを、前記通信部を制御して前記各設定表示器に送信する制御部とを備え、
前記各設定表示器は、前記組合せ秤と送受信するための通信部と、前記表示データと前記項目ＩＤとを対応させて記憶する表示データ記憶部と、前記通信部で受信した前記組合せ秤からの前記変更された表示データおよび対応する前記項目ＩＤに基づいて、前記表示データ記憶部の表示データを更新する表示データ更新部と、前記表示データ記憶部の表示データを読み出して、前記組合せ秤の状態についての前記項目を前記表示部に表示する表示制御部とを備える、
ことを特徴とする組合せ秤システム。
【請求項２】
前記組合せ秤の状態について表示する前記項目が、前記組合せ秤の運転状態および前記運転条件の設定状態の少なくともいずれか一方の状態を表示するものであり、
前記各設定表示器の前記表示データ記憶部は、前記表示データと前記項目ＩＤとを対応させた表示データテーブルを記憶するものであり、
前記各設定表示器の前記表示制御部は、前記入力部から設定入力される表示画面モードに応じて、前記表示データ記憶部から必要な表示データを読み出して前記表示部に表示する、
請求項１に記載の組合せ秤システム。
【請求項３】
前記組合せ秤を複数台備え、前記組合せ秤は、該組合せ秤を特定する機器ＩＤを、前記表示データおよび前記項目ＩＤに付加して前記各設定表示器に送信し、前記各設定表示器の前記表示データ記憶部は、機器ＩＤ毎に、前記表示データと前記項目ＩＤとを対応させて記憶し、前記表示制御部は、前記入力部からの前記組合せ秤を選択する設定入力に応じて、選択された組合せ秤に対応する表示データを前記表示データ記憶部から読み出して該組合せ秤の状態を前記表示部に表示する、
請求項１または２に記載の組合せ秤システム。
【請求項４】
当該組合せ秤に対する運転条件を設定入力する入力部および当該組合せ秤の状態について表示する表示部をそれぞれ有する複数台の各設定表示器と送受信するための通信部と、該通信部で受信する前記各設定表示器からの前記運転条件に基づいて、当該組合せ秤の各部の動作を制御すると共に、当該組合せ秤の状態について表示する項目の表示内容である表示データが変更されたときに、変更された表示データおよび該表示データに対応する前記項目を特定する項目ＩＤを、前記通信部を制御して前記各設定表示器に送信する制御部とを備える、
ことを特徴とする組合せ秤。
【請求項５】
組合せ秤に対する運転条件を設定入力する入力部および前記組合せ秤の状態について表示する表示部を有する設定表示器であって、
前記組合せ秤と送受信するための通信部と、前記組合せ秤の状態について表示する項目の表示内容である表示データと前記項目を特定する項目ＩＤとを対応させて記憶する表示データ記憶部と、前記組合せ秤から送信されて前記通信部で受信される、変更された表示データおよび対応する前記項目ＩＤに基づいて、前記表示データ記憶部の表示データを更新する表示データ更新部と、前記表示データ記憶部の表示データを読み出して、前記組合せ秤の状態についての前記項目を前記表示部に表示する表示制御部とを備える、
ことを特徴とする設定表示器。
【発明の詳細な説明】
【技術分野】
【０００１】
本発明は、組合せ秤、組合せ秤に対して運転条件を設定すると共に、組合せ秤の運転状態等を表示する設定表示器、および、それらを備える組合せ秤システムに関するものである。
【背景技術】
【０００２】
組合せ秤は、一般に、供給されてくる被計量物を計量する複数の計量ホッパを備えており、複数の計量ホッパで計量した各被計量物の計量値を種々に組合せると共に、これら計量値の組合せの中から、合計重量が目標重量に最も近い所定重量範囲内の組合せを選択し、選択した組合せの計量ホッパから被計量物を排出し、排出した被計量物を、組合せ秤の下方に配置した包装機に投入して包装するようになっている。
【０００３】
一方、かかる組合せ秤では、運転条件として、上記目標重量や運転速度などの各種の運転パラメータを設定すると共に、組合せ秤の運転状態などを表示する設定表示器としての操作設定表示器が備えられている（例えば、特許文献１参照）。
【先行技術文献】
【特許文献】
【０００４】
【特許文献１】特開２００６−２７５８８７号公報
【発明の概要】
【発明が解決しようとする課題】
【０００５】
従来における上記操作設定表示器は、組合せ秤１台につき１台設けられている。
【０００６】
組合せ秤と包装機とは、組合せ秤は被計量物の計量、包装機は計量した被計量物を包装するものであるから、上下位置の関係で設置する必要がある。
【０００７】
そのため、包装機は例えば床面に設置されるのに対して、組合せ秤は、作業者が上り下りできるように床面に組み上げ立設された架台上に設置される。
【０００８】
そして、上記したように組合せ秤１台につき１台の操作設定表示器は、通常、包装機が設置されている床面に立った作業者が操作できるよう床面上に配置される。
【０００９】
このため、組合せ秤が設置されている架台に上った作業者が、組合せ秤の作動状態を見て、運転条件の設定状態の確認や運転条件の設定を行う必要がある場合、一旦、組合せ秤が配置されている架台から床面へ下りてきて、床面上に配置されている操作設定表示器を操作して運転条件の設定状態を表示したり、あるいは、運転条件の設定入力をしたりする必要がある。このように操作設定表示器に対しての操作が要求されるのは作業者にとって非常に面倒であるうえ作業的にも極めて非効率なことである。
【００１０】
このため、操作設定表示器の台数を組合せ秤１台につき１台とするのではなく、組合せ秤１台につき複数台の操作設定表示器を接続可能とし、例えば、操作設定表示器を２台とした場合、そのうちの１台を、組合せ秤が設置されている架台に立った作業者が操作できる位置に配置し、もう１台を、包装機が設置されている床面に立った作業者が操作できる位置に配置することで、いずれの配置位置からでも作業者が各操作設定表示器を操作できるようにすることが好ましい。
【００１１】
このように１台の組合せ秤に複数台の操作設定表示器を接続可能とする場合に、簡単にかつ安価に構成しようとすると、各操作設定表示器における組合せ秤の運転状態などの表示は、従来と同様の構成を採用することが考えられる。
【００１２】
従来では、作業者が、操作設定表示器を操作して組合せ秤の運転状態などを表示する所望の画面を呼び出すと、組合せ秤からその画面に各項目を表示するのに必要な一連のデータが操作設定表示器へ送られ、操作設定表示器では、送られてきた各項目を表示するための一連のデータと画面の背景表示とを組み合わせて所望の画面を表示する。
【００１３】
したがって、１台の組合せ秤に複数台の操作設定表示器を接続可能に構成する場合にも、作業者が、１台の操作設定表示器を操作して所望の画面を呼び出すと、組合せ秤からその画面の各項目を表示するために必要な一連のデータが、複数台の各操作設定表示器へ送られるようにすることが考えられる。
【００１４】
しかしながら、この場合には、複数台の全ての操作設定表示器へ組合せ秤から一連の共通のデータが送られてくるので、全ての操作設定表示器では同一の画面しか表示することができないことになる。したがって、同時刻に、複数の作業者が、複数台の各操作設定表示器を操作してそれぞれ異なる画面を呼び出して表示することができない。
【００１５】
勿論、各操作設定表示器に異なる個別画面を呼び出して表示できるようにすることも可能であるが、そのためには、例えば、組合せ秤から操作設定表示器毎に、それぞれ異なる画面の各項目を表示するのに必要な一連のデータを送ったり、複数台の各操作設定表示器が、呼び出し可能な多数の画面に各項目を表示するのに必要な一連のデータを画面毎に分類して格納したりしておき、呼び出された画面を表示するのに必要なデータを読み出すといった必要があり、従来の構成を大幅に変更して新たなソフトウェアなどの開発が必要となってコストが増大してしまうといった課題がある。
【００１６】
本発明は、上述のような課題に鑑みてなされたものであって、複数台の設定表示器それぞれが、組合せ秤に対しての運転条件の設定を行えるようにすると共に、組合せ秤の運転状態等の表示を行えるようし、特に、比較的簡単かつ安価な構成で組合せ秤の運転状態等について異なる個別の表示を行えるようにすることを目的とする。
【課題を解決するための手段】
【００１７】
上記目的を達成するために、本発明では、次のように構成している。
【００１８】
（１）本発明の組合せ秤システムは、組合せ秤と、組合せ秤に対する運転条件の設定入力と、前記組合せ秤の状態について表示することが可能な複数台の設定表示器とを備え、
前記組合せ秤は、前記複数台の各設定表示器と送受信するための通信部と、該通信部で受信される前記各設定表示器からの前記運転条件の設定入力に基づいて、当該組合せ秤の各部の動作を制御すると共に、前記組合せ秤の状態について表示する項目の表示内容である表示データが変更されたときに、変更された表示データおよび該表示データに対応する前記項目を特定する項目ＩＤを、前記通信部を制御して前記各設定表示器に送信する制御部とを備え、
前記各設定表示器は、前記組合せ秤と送受信するための通信部と、前記表示データと前記項目ＩＤとを対応させて記憶する表示データ記憶部と、前記通信部で受信した前記組合せ秤からの前記変更された表示データおよび対応する前記項目ＩＤに基づいて、前記表示データ記憶部の表示データを更新する表示データ更新部と、前記表示データ記憶部の表示データを読み出して、前記組合せ秤の状態についての前記項目を前記表示部に表示する表示制御部とを備えている。
【００１９】
運転条件の設定とは、組合せ秤の運転に必要な条件の設定をいい、例えば、計量する品種名、目標重量、運転の速度、メインフィーダやリニアフィーダの振幅強度などの各種の運転パラメータの設定、あるいは、運転の開始や停止の設定などをいう。
【００２０】
組合せ秤の状態とは、組合せ秤の運転状態及び前記運転条件の設定状態の少なくともいずれか一方の状態をいう。運転状態には、運転中に得られる計量値やそれらに基づく集計値などの計量結果の状態も含む。
【００２１】
表示データは、組合せ秤の状態について表示する項目の表示内容となるデータであり、組合せ秤の状態が変化すると、それに応じて変更されるデータである。
【００２２】
項目ＩＤは、表示する項目を特定するＩＤ、例えば、ＩＤ番号であり、表示する項目を識別できるＩＤであればよい。
【００２３】
組合せ秤の通信部及び各設定表示器の通信部によって、例えば、有線や無線のＬＡＮ（Ｌｏｃａｌ  Ａｒｅａ  Ｎｅｔｗｏｒｋの略称）などを構成するのが好ましい。
【００２４】
本発明の組合せ秤システムによると、複数台の各設定表示器から組合せ秤に対して運転条件の設定入力を行なえるので、例えば、異なる場所に配置された設定表示器から運転条件の設定入力を行うといったことが可能となる。
【００２５】
各設定表示器では、組合せ秤の状態について表示する項目の表示内容である表示データが表示データ記憶部に記憶されている、すなわち、画面を表示するのに必要な項目の表示データは、表示データ記憶部に記憶され、表示データが変更されたときには、最新の表示データに更新されるので、各設定表示器では、画面の表示に必要な表示データを、表示データ記憶部から読み出してそれぞれ個別の画面を表示することができる。
【００２６】
これによって、例えば、組合せ秤から各設定表示器に個別の画面の各項目を表示するのに必要な一連のデータを各設定表示器に送信したり、各設定表示器が、多数の画面の各項目を表示するのに必要な一連のデータを分類して記憶しておくといった必要もなく、比較的簡単かつ安価な構成で複数の各設定表示器で異なる個別の画面を表示することができ、複数の各作業者が、各設定表示器をそれぞれ操作して所望の画面を自由に呼び出して表示することができる。
【００２７】
（２）本発明の組合せ秤システムの好ましい実施態様では、前記組合せ秤の状態について表示する前記項目が、前記組合せ秤の運転状態および前記運転条件の設定状態の少なくともいずれか一方の状態を表示するものであり、前記各設定表示器の前記表示データ記憶部は、前記表示データと前記項目ＩＤとを対応させた表示データテーブルを記憶するものであり、前記各設定表示器の前記表示制御部は、前記入力部から設定入力される表示画面モードに応じて、前記表示データ記憶部から必要な表示データを読み出して前記表示部に表示するものである。
【００２８】
この実施態様によると、各設定表示器の表示データ記憶部には、表示データと項目ＩＤとを対応させた一覧表である表示データテーブルを記憶しているので、組合せ秤から送信される変更された表示データ及び対応する項目ＩＤを受信したときには、受信した項目ＩＤに基づいて、対応する表示データを容易に書き換えて表示データを更新することができる。また、入力部の設定入力によって所望の表示画面モードを選択し、選択した表示画面モードの画面を表示することができる。
【００２９】
（３）本発明の組合せ秤システムの別の好ましい実施態様では、前記組合せ秤を複数台備え、前記組合せ秤は、該組合せ秤を特定する機器ＩＤを、前記表示データおよび前記項目ＩＤに付加して前記各設定表示器に送信し、前記各設定表示器の前記表示データ記憶部は、機器ＩＤ毎に、前記表示データと前記項目ＩＤとを対応させて記憶し、前記表示制御部は、前記入力部からの前記組合せ秤を選択する設定入力に応じて、選択された組合せ秤に対応する表示データを前記表示データ記憶部から読み出して該組合せ秤の状態を前記表示部に表示するものである。
【００３０】
機器ＩＤは、組合せ秤を特定するＩＤ、例えば、機器番号であり、組合せ秤を識別できるＩＤであればよい。
【００３１】
この実施態様によると、各設定表示器では、複数台の各組合せ秤を特定する機器ＩＤ毎に、表示データと項目ＩＤとを対応させて表示データ記憶部に記憶するので、入力部から組合せ秤を選択することによって、選択された組合せ秤の表示データを、表示データ記憶部から読み出して選択された組合せ秤の状態を表示することができる。
【００３２】
（４）本発明の組合せ秤は、当該組合せ秤に対する運転条件を設定入力する入力部および当該組合せ秤の状態について表示する表示部をそれぞれ有する複数台の各設定表示器と送受信するための通信部と、該通信部で受信する前記各設定表示器からの前記運転条件に基づいて、当該組合せ秤の各部の動作を制御すると共に、当該組合せ秤の状態について表示する項目の表示内容である表示データが変更されたときに、変更された表示データおよび該表示データに対応する前記項目を特定する項目ＩＤを、前記通信部を制御して前記各設定表示器に送信する制御部と、を備えている。
【００３３】
本発明の組合せ秤によると、複数台の各設定表示器によって当該組合せ秤の運転条件を設定入力することができると共に、当該組合せ秤の状態を表示する項目の表示内容である表示データが変更されたときには、変更された表示データ及び対応する項目ＩＤを各設定表示器に送信するので、各設定表示器では、表示データ及び項目ＩＤを記憶し、表示データを更新することによって、各設定表示器では、表示データ記憶部の表示データを読み出してそれぞれ個別の画面表示を行うことができ、比較的簡単かつ安価な構成で複数の各設定表示器で異なる個別の画面を表示することができる。
【００３４】
（５）本発明の設定表示器は、組合せ秤に対する運転条件を設定入力する入力部および前記組合せ秤の状態について表示する表示部を有する設定表示器であって、前記組合せ秤と送受信するための通信部と、前記組合せ秤の状態について表示する項目の表示内容である表示データと前記項目を特定する項目ＩＤとを対応させて記憶する表示データ記憶部と、前記組合せ秤から送信されて前記通信部で受信される、変更された表示データおよび対応する前記項目ＩＤに基づいて、前記表示データ記憶部の表示データを更新する表示データ更新部と、前記表示データ記憶部の表示データを読み出して、前記組合せ秤の状態についての前記項目を前記表示部に表示する表示制御部とを備えている。
【００３５】
本発明の設定表示器によると、組合せ秤の状態を表示する項目の表示内容である表示データが表示データ記憶部に記憶されて更新されるので、表示データ記憶部の表示データを読み出して画面表示を行うことができ、例えば、当該設定表示器を複数台備える場合には、各設定表示器に異なる個別の画面を表示することができる。
【発明の効果】
【００３６】
本発明によると、複数台の各設定表示器から組合せ秤に対して運転条件の設定入力を行なえるので、例えば、異なる場所にそれぞれ配置された各設定表示器から運転条件の設定入力を行うといったことが可能となる。各設定表示器は、組合せ秤の状態を表示する項目の表示内容である表示データが表示データ記憶部に記憶され、表示データが変更されたときには、表示データ記憶部の表示データが更新されるので、各設定表示器では、表示データ記憶部から必要な表示データを読み出してそれぞれ異なる個別の画面を表示することができ、比較的簡単かつ安価な構成で複数の各設定表示器で異なる個別の画面を表示することができる。
【図面の簡単な説明】
【００３７】
【図１】図１は本発明の一つの実施形態に係る組合せ秤システムの構成を示すブロック図である。
【図２】図２は図１の設定表示器２１の表示例を示す正面図である。
【図３】図３は図１の設定表示器２２の表示例を示す正面図である。
【図４】図４は表示データテーブルの構成例の一部を示す図である。
【図５】図５は送信データの構成の一例を示す図である。
【図６】図６は図１の設定表示器の動作説明に供するフローチャートである。
【図７】図７は本発明の他の実施形態の表示データテーブルの構成例の一部を示す図である。
【発明を実施するための形態】
【００３８】
以下、図面によって本発明の実施の形態について詳細に説明する。
【００３９】
（実施形態１）
図１は、本発明の一つの実施形態に係る組合せ秤システムの概略構成を示すブロック図である。
【００４０】
この実施形態の組合せ秤システムは、１台の組合せ秤１と、この組合せ秤１と送受信可能な複数台、この実施形態では２台の設定表示器２１，２２とを備えている。
【００４１】
各設定表示器２１，２２は、組合せ秤１の運転条件の設定、例えば、計量する品種名・品種番号、目標重量値、メインフィーダやリニアフィーダの振幅強度等の各種の運転パラメータを設定入力する入力部３１，３２及び組合せ秤１の状態、例えば、組合せ秤１の運転状態や前記運転条件の設定状態などを表示する表示部４１，４２を備えている。
【００４２】
各設定表示器２１，２２は、組合せ秤１と有線で通信するための有線通信回路部５１，５２と、各部を制御するＣＰＵ６１，６２と、データを記憶するＲＡＭ７１，７２と、制御プログラム等を記憶するＲＯＭ８１，８２とを備えている。各ＲＡＭ７１，７２には後述の表示データテーブル等が記憶されている。
【００４３】
この実施形態では、入力部３１，３２と表示部４１，４２とは、一体となったタッチパネルで構成され、表示部４１，４２のスクリーンに表示されたタッチキーを押圧操作して入力を行うように構成されているが、入力部３１，３２と表示部４１，４２とは個別に構成してもよい。
【００４４】
この実施形態では、両設定表示器２１，２２の一方は、図２に示すように、大型の設定表示器２１であり、他方は、図３に示すように小型の設定表示器２２である。各設定表示器２１，２２は、上述のように入力部３１，３２及び表示部４１，４２を一体に構成した矩形のタッチパネルを備えている。
【００４５】
図２では、設定表示器２１に、組合せ秤１の状態を表示する画面の一例として、自動運転画面が表示されている例を示している。この自動運転画面では、計量している「品種名・品種番号」を表示する第１表示領域１５と、複数の計量ホッパが環状にグラフィック表示された第２表示領域１６と、「組合せ重量」、「速度」及び計量値の判定結果である「軽量」、「適量」、「過量」を表示する第３表示領域１７と、リニアフィーダ及びメインフィーダの運転状態である振幅強度を表示する第４表示領域１８とが設けられると共に、「ストップ」及び「復帰」の各タッチキー１９，２０が設けられる。前記第２表示領域１６では、環の最も内周側に計量ホッパに付与された番号（第１番〜第１０番）が表示されている。
【００４６】
この図２では、第１表示領域１５には、組合せ秤１の運転状態を表示する表示項目として「品種名・品種番号」が表示されると共に、その表示内容の一例として「ポテトチップス  １００ｇ」が表示される。第２表示領域１６には、表示項目として１番〜１０番の各計量ホッパが円形にグラフィック表示されると共に、その表示内容として各計量ホッパの計量値が表示される。また、第３表示領域１７には、表示項目として「組合せ重量」、「速度」及び計量値の判定結果である「軽量」、「適量」、「過量」が表示されると共に、その表示内容の一例として「１００．０ｇ」、「７８．４ｗｐｍ」、「適量」が表示される。第４表示領域１８には、表示項目として「リニアフィーダ」及び「メインフィーダ」が表示されると共に、その表示内容の一例としてそれらの振幅強度「５０」及び「３５」が表示される。
【００４７】
図３では、設定表示器２２に、組合せ秤１の状態を表示する画面の一例として、集計画面である生産情報画面が表示されている例を示している。この生産情報画面では、表示項目として、「速度」、「重量」、「合計値」、「平均値」、「標準偏差」が表示されると共に、その表示内容の一例として、「７８．４ｗｐｍ」、「１００．０ｇ」、「７５０３４．７ｇ」、「１００．０６ｇ」、「０．１４ｇ」が表示される。また、集計結果のグラフが表示されると共に、「スタート」及び「ストップ」の各タッチキー２１，２２が表示される。
【００４８】
再び、図１を参照して、組合せ秤１は、組合せ秤本体９と、組合せ秤制御部１０と、各設定表示器２１，２２と有線で通信するための有線通信回路部１１と、を備えている。組合せ秤本体９は、図示しないメインフィーダ、このメインフィーダからの被計量物を供給ホッパに送り込むリニアフィーダ、被計量物を計量ホッパに供給する供給ホッパ、供給される被計量物を重量センサによって計量する計量ホッパ、計量ホッパから排出される被計量物を一時的に留める集合ホッパなどを備えており、従来、周知の構成を採用することができるものであり、その詳細な説明は省略する。
【００４９】
組合せ秤制御部１０は、各設定表示器２１，２２から設定入力される組合せ秤の運転条件に基づいて、組合せ秤本体９の各部の動作を制御すると共に組合せ演算を行なうＣＰＵ１２と、データが格納されるＲＡＭ１３と、制御プログラム等を記憶するＲＯＭ１４とを備えている。
【００５０】
ＲＡＭ１３には、複数の運転条件のデータや後述の表示データテーブル等が格納されている。各運転条件のデータには、複数の運転条件のいずれの運転条件であるかを示す運転条件番号、品種名・品種番号、目標重量値、フィーダの振幅強度等の各種の運転パラメータが含まれている。
【００５１】
制御部としてのＣＰＵ１２は、各設定表示器２１，２２からの設定入力によって、複数の運転条件の中から選択された一つの運転条件のデータに基づいて、組合せ秤本体９の各部の動作を制御する。
【００５２】
この実施形態では、比較的簡単かつ安価な構成で、各設定表示器２１，２２の各表示部４１，４２に組合せ秤１の運転状態などを異なる個別の画面で表示できるように次のように構成している。
【００５３】
すなわち、組合せ秤１は、当該組合せ秤１の運転状態や運転条件の設定状態について、各設定表示器２１，２２に表示する表示項目の表示内容である表示データと、該表示データに対応する前記表示項目を特定する項目ＩＤとしてのＩＤ番号とを対応づけた表示データーブルを、表示データ記憶部としての上記ＲＡＭ１３に記憶している。
【００５４】
この表示データテーブルの表示データは、各設定表示器２１，２２で各種の画面を表示する場合に、表示する各項目の表示内容となるデータであり、組合せ秤の運転状態の変化や運転条件の設定などに応じて変化する、すなわち、変更されるものである。特に、複数の運転条件のいずれの運転条件であるかを示す運転条件番号の設定が変更されたような場合には、運転条件に関する各種のデータが一括して変更されることになる。
【００５５】
組合せ秤制御部１０のＣＰＵ１２は、運転状態の変化、あるいは、運転条件の設定などに応じて表示データが変更されたときには、表示データテーブルの該当する表示データを書き換えて更新すると共に、変更された表示データ及び対応するＩＤ番号を、有線通信回路部１１を制御して各設定表示器２１，２２に送信する。
【００５６】
図４は、ＲＡＭ１３に格納される表示データテーブルの一例を示す図である。
【００５７】
この表示データテーブル２３は、各表示項目を特定する項目ＩＤとしての、例えば、「０００１」、「０００２」、「０００３」、「０００４」…といったＩＤ番号と、各表示項目の表示内容である、例えば、「ポテトチップス  １００ｇ」、「１００．０」、「７８．４」、「２」…といった表示データとを対応させた一覧表である。
【００５８】
ここで、ＩＤ番号「０００１」は、上述の図２の自動運転画面の表示項目である「品種名・品種番号」を、ＩＤ番号「０００２」は、同じく自動運転画面の表示項目である「組合せ重量」を、ＩＤ番号「０００３」は、同じく自動運転画面の表示項目である「速度」を、ＩＤ番号「０００４」は、同じく自動運転画面の表示項目である「計量値の判定結果」をそれぞれ特定するものである。なお、表示項目「計量値の判定結果」を特定するＩＤ番号「０００４」に対応する表示データ「２」は、上述の「軽量」、「適量」、「過量」の内の「適量」を表示するためのデータである。
【００５９】
この図４では、表示データテーブル２３の一部のみを示しており、図示していないが、この表示データテーブル２３は、自動運転画面のその他の表示項目、例えば、リニアフィーダの振幅強度、メインフィーダの振幅強度などの各表示項目を特定するＩＤ番号及び各表示項目の表示内容である表示データを含んでおり、また、上述の図３の生産情報画面の各表示項目を特定するＩＤ番号及び各表示項目の表示内容である表示データを含んでおり、更に、各設定表示器２１，２２で表示する各種の画面の表示項目を特定するＩＤ番号及び表示データを含んでいる。
【００６０】
組合せ秤１では、運転状態の変化や運転条件の設定などによって、これらの表示データのいずれかが変更されたときには、表示データテーブル２３の該当する表示データを書き換えて更新し、変更された表示データ及び対応するＩＤ番号を各設定表示器機２１，２２に送信する。
【００６１】
図５は、表示データが変更された場合に、各設定表示器機２１，２２に送信する送信データの構成の一例を示す図である。この図５に示されるように、テキストの開始を示すコードであるＳＴＸ（Ｓｔａｒｔ  ｏｆ  ＴｅＸｔ）と、表示項目である、例えば、組合せ重量を特定するＩＤ番号「０００２」と、ブロック転送終了を示すコードであるＥＴＢ（Ｅｎｄ  ｏｆ  Ｔｒａｎｓｍｉｓｓｉｏｎ  Ｂｌｏｃｋ）と、組合せ重量の表示内容である表示データ、例えば、上述の図４の例では、「１００．０」と、テキスト終了を示すコードであるＥＴＸ（Ｅｎｄ  ｏｆ  ＴｅＸｔ）とから構成されている。
【００６２】
各設定表示器２１，２２は、組合せ秤１と同様に、表示部４１，４２に表示する表示項目の内容である表示データと、該表示データに対応する前記表示項目を特定する項目ＩＤとしてのＩＤ番号とを対応づけた図４の表示データテーブル２３を表示データ記憶部としてのＲＡＭ７１，７２にそれぞれ格納している。そして、表示データ更新部としてのＣＰＵ６１，６２は、表示データが変更されて組合せ秤１から送信される、変更された表示データ及び対応するＩＤ番号を受信してＲＡＭ７１，７２にそれぞれ格納されている表示データテーブル２３の該当する表示データを書き換えて更新する。これによって、各設定表示器２１，２２のＲＡＭ７１，７２にそれぞれ格納されている表示データテーブル２３は、最新の表示データに更新される。
【００６３】
各設定表示器２１，２２では、入力部３１，３２から所望の表示画面モードを設定入力することによって、対応する表示画面、例えば、上述の自動運転画面や生産情報画面が、ＲＡＭ７１，７２に格納している表示データテーブルの表示データを必要に応じて読み出して表示される。なお、各種の表示画面の背景となる背景表示は、各設定表示器２１，２２のＲＡＭ７１，７２に予め格納されており、この背景表示に、表示データテーブルとの表示データが組み合わされて所要の表示画面が構成される。
【００６４】
図６は、この実施形態の各設定表示器２１，２２の動作説明に供するフローチャートである。
【００６５】
先ず、作業者が、入力部３１，３２を操作して表示しようとする表示画面モードを選択することにより、表示画面変更操作プログラムが起動されて対応する表示画面モードが設定され、必要に応じて、表示データテーブルの表示データが読み出されて背景表示と組合されて表示される（ステップＳ１）。
【００６６】
次に、組合せ秤１からの受信データが有るか否かを判断する（ステップＳ２）。
【００６７】
受信データが有るときには、受信データを読み込み（ステップＳ３）、受信データに含まれるＩＤ番号に対応する表示データテーブルの表示データと、受信データに含まれる表示データとを比較して一致しているか否かを判断し（ステップＳ４）、一致しているときには、表示データの変更はなく、更新する必要がないので終了し、一致していないときには、該当するＩＤ番号の表示データテーブルの表示データを書き換えて更新し（ステップＳ５）、該当するＩＤ番号の表示フラグをＯＮしてステップＳ７に移る（ステップＳ６）。
【００６８】
ステップＳ７では、現在表示している画面が、例えば、運転モード画面であるか否かを判断し、運転モード画面であるときには、運転モード画面で表示に使用する表示データの内、ＩＤ番号の表示フラグがＯＮになっているＩＤ番号があるか否かを判断し（ステップＳ８）、表示フラグがＯＮになっているＩＤ番号があるときには、そのＯＮになっている表示フラグに対応するＩＤ番号の表示データは更新されたので、該当ＩＤ番号の表示データの表示を、更新された表示データによる表示に更新し（ステップＳ９）、全てのＩＤ番号の表示フラグをＯＦＦして終了する（ステップＳ１０）。運転モード画面以外の他の画面モードの表示データが組合せ秤１から送信される場合もあるので、このステップＳ１０では、運転モード画面の表示に必要がないとして、全てのＩＤ番号の表示フラグをＯＦＦする。
【００６９】
また、ステップＳ７において、運転モード画面でないときには、他の画面モードの処理に移行する。
【００７０】
以上のように、各設定表示器２１，２２では、組合せ秤１の運転状態や運転条件の設定状態について表示する項目を特定するＩＤ番号と、表示する項目の表示内容である表示データを対応させた表示データテーブルを記憶し、表示データが変更されたときには、表示データテーブルの該当する表示データを書き換えて更新し、この表示データテーブルの表示データを読み出して、背景表示と共に、所要の表示画面を作成して表示するので、設定表示器２１，２２毎に、入力部３１，３２から異なる表示画面モードを設定入力することによって、設定表示器２１，２２毎に、異なる画面を個別に表示することができる。したがって、複数の各作業者が、各設定表示器２１．２２をそれぞれ操作して自由に所望の画面を呼び出して表示することができる。
【００７１】
しかも、組合せ秤１は、表示データが変更されたときに、その表示データ及び対応するＩＤ番号を各設定表示器２１，２２に送信するだけでよく、各設定表示器２１，２２は、受信した表示データによって表示データテーブルを更新すればよく、比較的簡単かつ安価な構成で、各設定表示器２１，２２で異なる個別の画面表示を行うことが可能となる。
【００７２】
また、組合せ秤１は、表示データが変更されたときにのみ表示データ及びＩＤ番号を、各設定表示器２１，２２に送信すればよく、例えば、表示期間中に亘って常に送信する場合に比べて通信量を削減することができる。
【００７３】
なお、設定表示器の台数は２台に限らず任意であり、各設定表示器は、全く同じものであってもよく、あるいは、設定表示器によって、組合せ秤の運転条件の設定入力を行なえる範囲を制限したり、組合せ秤の状態を表示できる画面を制限したりしてもよい。
【００７４】
（実施形態２）
上述の実施形態の組合せ秤システムは、１台の組合せ秤１と複数台の設定表示器２１，２２とを備えていたけれども、本発明の他の実施形態として、組合せ秤システムは、複数台の組合せ秤と複数台の設定表示器とを備える構成としてもよい。
【００７５】
この場合に、各組合せ秤の状態を、複数台の各設定表示器で個別に表示できるようにするために、各組合せ秤を特定するための機器ＩＤとして機器番号を設定し、表示データが変更されたときには、上述の表示データ及びＩＤ番号に加えて、機器番号を付加するようにし、表示データテーブルも、例えば、組合せ秤が２台であるときには、図７に示すように、機器番号「♯１」、「♯２」毎に、表示項目を特定するＩＤ番号と、表示内容である表示データとを対応させるようにすればよい。
【００７６】
この図７では、機器番号「♯１」の組合せ秤についての表示データは、上述の実施形態と同じであり、機器番号「♯２」の組合せ秤についての表示データは、ＩＤ番号「０００１」の「品種名・品種番号」が、「キャンディ  １５０ｇ」であり、ＩＤ番号「０００２」の「組合せ重量」が、「１５０．０」であり、ＩＤ番号「０００３」の「速度」が、「８０．０」であり、ＩＤ番号「０００４」の「計量値の判定結果」が、「適量」に対応する「２」である例を示している。
【００７７】
各設定表示器では、入力部から表示画面モード及び組合せ秤を特定する機器番号を入力することにより、入力された機器番号の表示データを読み出して画面を表示することができる。
【００７８】
これによって、複数の各設定表示器は、各組合せ秤の運転状態や運転条件の設定状態を個別に異なる表示画面で表示することができる。
【００７９】
また、各設定表示器から各組合せ秤に対する運転条件の設定入力も、機器番号を併せて設定入力することによって、各組合せ秤を特定して各種の運転パラメータ等の運転条件を設定することができる。
【００８０】
（その他の実施形態）
上述の実施形態では、組合せ秤と設定表示器とは、有線で通信したけれども、無線で通信するようにしてもよい。
【００８１】
また、設定表示器として、携帯情報端末（ＰＤＡ：Ｐｅｒｓｏｎａｌ  Ｄｉｇｉｔａｌ  Ａｓｓｉｓｔａｎｔｓ）などを使用できるようにしてもよい。
【００８２】
各設定表示器では、運転条件の設定入力において、各種の運転パラメータを重要度に応じてレベル分けし、重要度の高い運転パラメータについては、レベルに応じたパスワードを入力しなければ、運転パラメータを設定入力できないようにしてもよい。また、監督者が携帯する無線通信可能な設定表示器は、全ての運転パラメータの設定入力を可能とする一方、他の設定表示器は、レベルに応じたパスワードを入力しなければ、運転パラメータを設定入力できないようにしてもよい。
【産業上の利用可能性】
【００８３】
本発明は、組合せ秤及び設定表示器として有用である。
【符号の説明】
【００８４】
１                 組合せ秤
２１，２２         設定表示器
３                 入力部
４                 表示部
６１，６２，１２   ＣＰＵ
７１，７２，１３   ＲＡＭ
８１，８２，１４   ＲＯＭ
２３               表示データテーブル
【図１】
0005545644.tif 000002
【図２】
0005545644.tif 000003
【図３】
0005545644.tif 000004
【図４】
0005545644.tif 000005
【図５】
0005545644.tif 000006
【図６】
0005545644.tif 000007
【図７】
0005545644.tif 000008